(57)【要約】【課題】ユーザーが両手に食器を持った状態においてもスライド操作が容易なスライドカウンターを持つキャビネットを提供する。【解決手段】スライドカウンター１０は、上段収納部１２と下段収納部１３との間に収納された収納位置と、上段収納部１２と下段収納部１３との間から突き出した突き出し位置との間で移動可能である。プッシュオープン機構部６は、収納位置から突き出し位置とは逆側へスライドカウンター１０を押し込むことによって突き出し位置に向けてスライドカウンター１０を飛び出させるよう構成されている。【選択図】図６
2018143417.tif 000002
【特許請求の範囲】
【請求項１】
扉を有する上段収納部と、
前記上段収納部の下方に位置する下段収納部と、
前記上段収納部と前記下段収納部との間に収納された収納位置と、前記上段収納部と前記下段収納部との間から突き出した突き出し位置との間で移動可能なスライドカウンターと、
前記収納位置から前記突き出し位置とは逆側へ前記スライドカウンターを押し込むことによって前記突き出し位置に向けて前記スライドカウンターを飛び出させるよう構成されたプッシュオープン機構部と、を備えた、キャビネット。
【請求項２】
係合部をさらに備え、
前記スライドカウンターは、前記収納位置から前記突き出し位置に移動する際に、前記突き出し位置と前記収納位置との間の第１所定位置で前記係合部と係合する第１被係合部を有する、請求項１に記載のキャビネット。
【請求項３】
前記スライドカウンターは、前記係合部と係合することにより前記収納位置から前記突き出し位置まで段階的に移動可能に構成されている、請求項２に記載のキャビネット。
【請求項４】
前記スライドカウンターは、前記収納位置から前記突き出し位置に移動する際に、前記収納位置と前記第１所定位置との間の第２所定位置で前記係合部と係合する第２被係合部を有する、請求項３に記載のキャビネット。
【請求項５】
前記扉は開いた状態と閉じた状態との間で回動する回動式の扉であり、
前記突き出し位置における前記スライドカウンターの突き出し寸法が、前記開いた状態における前記扉の突き出し寸法よりも大きい、請求項１〜請求項４のいずれか１項に記載のキャビネット。
【発明の詳細な説明】
【技術分野】
【０００１】
本発明は、キャビネットに関し、特に、スライドカウンターを有するキャビネットに関するものである。
【背景技術】
【０００２】
スライドカウンターを有するキャビネットは、たとえば特開平９−１４０４８０号公報（特許文献１）、特開２００１−２２４４５２号公報（特許文献２）などに開示されている。
【０００３】
特開平９−１４０４８０号公報では、扉パネルが水平状態と垂直状態との間で回動自在にキャビネット本体に支持されている。水平状態となった扉パネルは前後方向に出し入れ自在にスライドする。
【０００４】
特開２００１−２２４４５２号公報では、収納空間の下に引出しカウンターが配置されている。
【先行技術文献】
【特許文献】
【０００５】
【特許文献１】特開平９−１４０４８０号公報
【特許文献２】特開２００１−２２４４５２号公報
【発明の概要】
【発明が解決しようとする課題】
【０００６】
キャビネットに多くの食器を一度に収納しようとすると、それらの食器を持つことによってユーザーの両手が塞がる場合がある。この場合、キャビネットの扉を開くことができない。このため、多くの食器を一度に収納する際には、ユーザーは、食器を手に持つ前にキャビネットの扉を開き、その後に食器を収納しなければならないという問題がある。
【０００７】
また上記公報に記載のスライドカウンター（扉パネル、引出しカウンター）では、ユーザーが両手に食器を持った状態でスライド操作することは難しいという問題がある。
【０００８】
本発明は、上記の課題に鑑みてなされたものであり、その目的は、ユーザーが両手に食器を持った状態においてもスライド操作が容易なスライドカウンターを持つキャビネットを提供することである。
【課題を解決するための手段】
【０００９】
本発明のキャビネットは、上段収納部と、下段収納部と、スライドカウンターと、プッシュオープン機構部とを備えている。上段収納部は、扉を有する。下段収納部は、上段収納部の下方に位置する。スライドカウンターは、上段収納部と下段収納部との間に収納された収納位置と、上段収納部と下段収納部との間から突き出した突き出し位置との間で移動可能である。プッシュオープン機構部は、収納位置から突き出し位置とは逆側へスライドカウンターを押し込むことによって突き出し位置に向けてスライドカウンターを飛び出させるよう構成されている。
【００１０】
本発明のキャビネットによれば、プッシュオープン機構部が設けられている。これによりスライドカウンターを押し込む（プッシュする）操作のみで、スライドカウンターを突き出し位置に向けて飛び出させることができる。このためユーザーが両手に食器を持った状態においても、スライドカウンターのスライド操作を容易に行うことが可能となる。
【００１１】
またスライドカウンターが突き出し位置に向けて飛び出すことにより、ユーザーはそのスライドカウンター上に、食器を一旦置くことができる。これにより、ユーザーは両手を使うことが可能となり、上段収納部の扉を開くことができる。そして、その後にスライドカウンター上の食器を上段収納部へ収納することができる。
【００１２】
上記キャビネットは、係合部をさらに備える。スライドカウンターは、収納位置から突き出し位置に移動する際に、突き出し位置と収納位置との間の第１所定位置で係合部と係合する第１被係合部を有する。
【００１３】
これにより第１被係合部と係合部との係合により、スライドカウンターのスライドを途中位置である第１所定位置で停止させることが可能となる。
【００１４】
上記キャビネットにおいて、スライドカウンターは、係合部と係合することにより収納位置から突き出し位置まで段階的に移動可能に構成されている。
【００１５】
これにより食器などの大きさに応じて、スライドカウンターの突き出し寸法を適切に操作することが可能となる。
【００１６】
上記キャビネットにおいて、スライドカウンターは、収納位置から突き出し位置に移動する際に、収納位置と第１所定位置との間の第２所定位置で係合部と係合する第２被係合部を有する。
【００１７】
これにより第２被係合部と係合部との係合により、スライドカウンターのスライドを第２所定位置で停止させることが可能となる。これによりスライドカウンターの段階的な移動が可能となる。
【００１８】
上記キャビネットにおいて、扉は開いた状態と閉じた状態との間で回動する回動式の扉である。突き出し位置におけるスライドカウンターの突き出し寸法が、開いた状態における扉の突き出し寸法よりも大きい。
【００１９】
これにより、回動式の扉が開いた状態においても、スライドカウンター上に食器などを置くことが可能となる。
【発明の効果】
【００２０】
以上説明したように本発明のキャビネットによれば、ユーザーが両手に食器を持った状態においてもスライド操作が容易なスライドカウンターを持つキャビネットを実現することができる。
【図面の簡単な説明】
【００２１】
【図１】本発明の一実施の形態におけるキャビネットの構成を概略的に示す正面図である。
【図２】図１のＩＩ−ＩＩ線に沿う概略断面図である。
【図３】本発明の一実施の形態におけるキャビネットに含まれるプッシュオープン機構部の構成を概略的に示す断面図である。
【図４】図２の領域Ｒ１を拡大して示す断面図である。
【図５】本発明の一実施の形態におけるキャビネットに含まれるスライドカウンターが第１所定値に位置する状態を示す概略断面図である。
【図６】本発明の一実施の形態におけるキャビネットにおいてスライドカウンターが突き出し位置に位置する状態を示す概略断面図である。
【図７】図６の領域Ｒ２を拡大して示す断面図である。
【図８】本発明の他の実施の形態におけるキャビネットの構成を示す概略断面図である。
【発明を実施するための形態】
【００２２】
以下、本発明の実施の形態におけるキャビネットについて図に基づいて説明する。
図１および図２に示されるように、本実施の形態のキャビネット２０は、上段収納部１２と、下段収納部１３と、スライドカウンター１０と、レール５と、プッシュオープン機構部６と、係合部８とを主に有している。
【００２３】
図１に示されるように、上段収納部１２は、食器などの収納部である。上段収納部１２は、食器などを収納する内部空間を有している。上段収納部１２は、内部空間を開閉する扉１２Ｄを有している。扉１２Ｄは、たとえば観音開き方式の開閉扉である。
【００２４】
扉１２Ｄは、たとえば互いに幅方向Ｗに並んだ２つの扉部１２Ｌ、１２Ｒを有している。２つの扉部１２Ｌ、１２Ｒの各々は、たとえば開いた状態と閉じた状態との間で回動する回動式の扉部である。扉部１２Ｌ、１２Ｒの各々が開いた状態では、上段収納部１２の内部空間はキャビネット２０の外部に対して解放されている。このため扉部１２Ｌ、１２Ｒの各々が開いた状態では、キャビネット２０の外部から上段収納部１２の内部空間に食器などを配置することができる。
【００２５】
また扉部１２Ｌ、１２Ｒの各々が閉じた状態では、上段収納部１２の内部空間の開口部は扉部１２Ｌ、１２Ｒの各々により塞がれている。このため扉部１２Ｌ、１２Ｒの各々が閉じた状態では、キャビネット２０の外部から上段収納部１２の内部空間に食器などを配置することはできない。
【００２６】
なお扉１２Ｄは、引き違い戸であってもよい。また上段収納部１２の内部空間には棚１４（図２）が配置されていてもよい。
【００２７】
下段収納部１３は、上段収納部１２の下側に配置されている。下段収納部１３も、上段収納部と同様、食器などの収納部である。下段収納部１３も、食器などを収納する内部空間を有している。下段収納部１３は、内部空間を開閉する扉１３Ｄを有している。扉１３Ｄは、たとえば２つの扉部１３Ｌ、１３Ｒを有している。扉１３Ｄは、開き戸であってもよく、また引き違い戸であってもよい。また下段収納部１３の内部空間には棚（図示せず）が配置されていてもよい。
【００２８】
図２に示されるように、スライドカウンター１０は、上段収納部１２と下段収納部１３との間に配置されている。スライドカウンター１０は、本体部１と、扉部２と、落下防止材９と、被係合部３ａ（第１被係合部）と、固定部材４ａとを主に有している。
【００２９】
本体部１は、たとえば平板よりなっている。平板よりなる本体部１の上面１ａは、食器などを置くための部分であり、平坦である。
【００３０】
扉部２は、本体部１の前後方向Ｄの前方に取り付けられている。扉部２は、スライドカウンター１０をスライド操作などする際にユーザーが触れる部分である。
【００３１】
落下防止材９は、本体部１の前後方向Ｄの後方に取り付けられている。落下防止材９は、スライドカウンター１０がスライドする際にキャビネット２０から落下により脱落することを防止するための部分である。
【００３２】
被係合部３ａは、本体部１の下面に固定部材４ａにより取り付けられている。被係合部３ａは、たとえば本体部の下方に突き出した下方突起部を有する板バネなどからなっている。被係合部３ａの下方突起部は、スライドカウンター１０がスライドする際に、係合部８と係合する部分である。この下方突起部は、係合部８と係合した状態において係合部８から受ける力が大きくなると、変形する（撓む）ように構成されている。この下方突起部の変形（撓み）により、被係合部３ａは、係合部８を通過することができる。
【００３３】
固定部材４ａは、たとえばネジ、ピンなどであり、被係合部３ａを本体部１の下面に固定できるものであれば、これに限定されるものではない。
【００３４】
レール５は、スライドカウンター１０がスライド移動する際にスライドカウンター１０をガイドするためのものである。レール５は、キャビネット２０の内側壁面に取り付けられている。１対のレール５の各々は、キャビネット２０の幅方向（図１のＷ方向）の左右の各々に取り付けられている。１対のレール５の各々は、スライドカウンター１０の幅方向（図１のＷ方向）の両端部の各々を支持している。
【００３５】
レール５によりスライドカウンター１０は前後方向Ｄにスライド可能である。スライドカウンター１０のスライドにより、スライドカウンター１０は、図２に示す収納位置と、図５に示す突き出し位置との間で移動可能である。
【００３６】
プッシュオープン機構部６は、図２に示す収納位置から、図５に示す突き出し位置とは逆側へスライドカウンター１０を押し込むことによって突き出し位置に向けて飛び出させるよう構成されている。
【００３７】
図３に示されるように、プッシュオープン機構部６は、筒部６ａと、押出し部６ｂと、弾性部材６ｅとを主に有している。
【００３８】
筒部６ａは、有底筒状の形状を有している。筒部６ａは、ストッパ部６ａａと、突出部６ｄとを有している。ストッパ部６ａａは、筒部６ａの内部空間６ｆと外部空間とをつなぐ開口部において内周側に折れ曲がっている。突出部６ｄは、筒部６ａの内周面から内部空間６ｆ側へ延びている。
【００３９】
押出し部６ｂは、棒状の形状を有し、かつフランジ部６ｂａと、突出部６ｃとを有している。この押出し部６ｂの一方端部側は筒部６ａの内部空間６ｆ内に位置し、押出し部６ｂの他方端部側は筒部６ａの内部空間６ｆの外部に位置している。押出し部６ｂのフランジ部６ｂａおよび突出部６ｃは筒部６ａの内部空間６ｆ内に位置している。
【００４０】
フランジ部６ｂａは、棒状の部分の外周面から外周側へ張り出している。フランジ部６ｂａの外径は、ストッパ部６ａａが形成された箇所の開口径よりも大きい。これによりフランジ部６ｂａはストッパ部６ａａが形成された箇所の開口から抜けない。つまりストッパ部６ａａは、フランジ部６ｂａが筒部６ａの内部空間６ｆ内から抜けることを防止する抜け止め防止としての機能を有している。
【００４１】
突出部６ｃは、棒状の部分の端部付近において棒状の部分よりも外周側へ突き出している。突出部６ｃの外径は突出部６ｄの内径よりも大きい。これにより突出部６ｃが突出部６ｄよりも筒部６ａの底側に位置する場合には、弾性部材６ｅの付勢力により、突出部６ｃは突出部６ｄに押付けられた状態で保持されている。つまり突出部６ｃと突出部６ｄとは、筒部６ａに対する押出し部６ｂの位置をロックする機能を有している。
【００４２】
弾性部材６ｅは、筒部６ａの底部分と押出し部６ｂの一方端部との間に配置されている。これにより押出し部６ｂは、弾性部材６ｅにより筒部６ａの内部空間６ｆから外部へ押し出される方向に付勢されている。弾性部材６ｅは、たとえばバネである。
【００４３】
図２に示されるように、係合部８は、キャビネット２０に取り付けられている。係合部８は、図５に示されるように、スライドカウンター１０のスライドの際に、被係合部３ａと当接する位置に配置されている。
【００４４】
次に、本実施の形態のキャビネット２０におけるスライドカウンター１０のスライド操作について図２〜図７を用いて説明する。
【００４５】
図２に示されるように、スライドカウンター１０が収納状態にあるときには、スライドカウンター１０は、上段収納部１２と下段収納部１３との間に収納されている。この収納状態においては、スライドカウンター１０の扉部２の前面２Ｅは、閉じた状態における扉１２Ｄ、１３Ｄの前面とほぼ同じ平面内に位置している。このため、スライドカウンター１０の扉部２の前面２Ｅは、閉じた状態における扉１２Ｄ、１３Ｄの前面よりも前後方向Ｄの前方側へ突き出していない。
【００４６】
この収納状態においては、図４に示されるように、スライドカウンター１０の扉部２の後面は、プッシュオープン機構部６の押出し部６ｂの先端に当接しているか、または押出し部６ｂの先端と少しの距離を空けて対向している。
【００４７】
また収納状態においては、プッシュオープン機構部６は、たとえば図３に示されるように、押出し部６ｂの突出部６ｃが、筒部６ａの突出部６ｄよりも筒部６ａの底に近い位置に位置している。
【００４８】
この収納状態から、ユーザーは、スライドカウンター１０の扉部２を、前後方向Ｄの後方側（図２の右側）へスライドカウンター１０を押し込む。これにより、図４に示されるように、スライドカウンター１０の扉部２の後面がプッシュオープン機構部６の押出し部６ｂの先端に当接し、押出し部６ｂが前後方向Ｄの後方側（図４の右側）へ押し込まれる。図３に示されるように、押出し部６ｂが筒部６ａの内部空間６ｆ内へ押し込まれることにより、弾性部材６ｅが縮む。
【００４９】
この状態からユーザーがスライドカウンター１０の扉部２から手を離す。これにより弾性部材６ｅが伸びようとする。この弾性力によって、押出し部６ｂを筒部６ａの内部空間６ｆから押し出そうとする力が押出し部６ｂに作用する。この力により、押出し部６ｂの突出部６ｃは筒部６ａの突出部６ｄを通り過ぎ、押出し部６ｂが筒部６ａに対して前方に押し出される。
【００５０】
押出し部６ｂは、スライドカウンター１０の扉部２を前方に向けて押出す。これによりスライドカウンター１０は、図５に示されるように前方へスライドする。前方にスライドしたスライドカウンター１０は、被係合部３ａが係合部８に係合するとスライドを停止する。具体的には、被係合部３ａを構成する板バネの下方突起部が係合部８に係合すると、スライドカウンター１０はスライドを停止する。被係合部３ａが係合部８に係合するときのスライドカウンター１０の位置を第１の所定位置とする。
【００５１】
この後、ユーザーはスライドカウンター１０の扉部２を持って、スライドカウンター１０を第１の所定からさらに前方に引き出す。このとき、被係合部３ａを構成する板バネの下方突起部は係合部８に押されて変形し（撓み）、その下方突起部は係合部８を通過する。
【００５２】
これにより、図６および図７に示されるように、被係合部３ａを構成する板バネの下方突起部は、係合部８の前方へ移動する。これにより、スライドカウンター１０は、突き出し位置へ移行する。またこの突き出し位置において、スライドカウンター１０は、被係合部３ａと係合部８とによりロックされた状態となる。
【００５３】
スライドカウンター１０が突き出し位置にある状態では、スライドカウンター１０の本体部１の上面１ａが上段収納部から露出する。このためユーザーは、この本体部１の上面１ａに食器などを置くことができる。これによりユーザーは、両手の空いた状態で上段収納部１２の扉１２Ｄおよび下段収納部１３の扉１３Ｄを開くことができる。
【００５４】
また上段収納部１２の扉部１２Ｌ、１２Ｒが回動扉である場合、突き出し位置におけるスライドカウンター１０の突き出し寸法ＬＡは、開いた状態にある扉部１２Ｌ、１２Ｒの突き出し寸法ＬＢよりも大きい。
【００５５】
ここで突き出し寸法ＬＡとは、閉じた状態における扉部１２Ｌ、１２Ｒの前面からスライドカウンター１０の扉部２の前面２Ｅまでの前後方向Ｄにおける距離である。また突き出し寸法ＬＢとは、閉じた状態における扉部１２Ｌ、１２Ｒの前面から、開いた状態における扉部１２Ｌ、１２Ｒの前端１２ＦＥまでの距離である。
【００５６】
スライドカウンター１０を突き出し位置から収納位置へ移動させる操作は、上記の逆の操作により行われる。具体的には、図６に示されるようにスライドカウンター１０が突き出し位置に位置する状態において、ユーザーがスライドカウンター１０の扉部２の前面２Ｅを後方に押し込む。この押し込む力により、被係合部３ａを構成する板バネの下方突起部が係合部８に当接し、変形する（撓む）。この下方突起部の変形（撓み）により、下方突起部は係合部８を通過して係合部８の後方へ移動する。この後、ユーザーがスライドカウンター１０をさらに後方へ押し込むことにより、図２に示されるようにスライドカウンター１０は収納位置へ移動する。
【００５７】
スライドカウンター１０が収納位置に移動した場合には、図４に示されるように、プッシュオープン機構部６の押出し部６ｂは、スライドカウンター１０の扉部２によて後方側へ押される。これにより、図３に示されるように、押出し部６ｂの突出部６ｃは筒部６ａの突出部６ｄよりも後方側へ移動しロック状態となる。
【００５８】
次に、他の実施の形態におけるキャビネットの構成を図８を用いて説明する。
図８に示されるように、本実施の形態の構成は、被係合部３ｂ（第２被係合部）および固定部材４ｂが追加されている点において図２に示す実施の形態の構成とは異なっている。
【００５９】
被係合部３ｂは、スライドカウンター１０の本体部１の下面に固定部材４ｂにより取り付けられている。被係合部３ｂは、スライドカウンター１０がスライドする際に、係合部８と係合するための部分である。
【００６０】
被係合部３ｂは、上記収納位置と上記第１所定位置との間の第２所定位置にスライドカウンター１０が位置している時に、係合部８と係合するように配置されている。被係合部３ｂは、たとえば本体部の下方に突き出した下方突起部を有する板バネなどからなっている。
【００６１】
被係合部３ｂの下方突起部は、スライドカウンター１０がスライドする際に、係合部８と係合する部分である。この下方突起部は、係合部８と係合した状態において係合部８から受ける力が大きくなると、変形する（撓む）ように構成されている。この下方突起部の変形（撓み）により、被係合部３ｂは、係合部８を通過することができる。
【００６２】
固定部材４ｂは、たとえばネジ、ピンなどであり、被係合部３ａを本体部１の下面に固定できるものであれば、これに限定されるものではない。
【００６３】
スライドカウンター１０は、係合部８と被係合部３ａ、３ｂとが係合することにより収納位置から突き出し位置まで段階的に移動可能に構成されている。具体的には、スライドカウンター１０が収納位置から突き出し位置へ移動する際、第２所定位置において被係合部３ｂが係合部８と係合してスライドカウンター１０のスライドが停止する。
【００６４】
ここからユーザーがスライドカウンター１０を前方に引き出すことにより、被係合部３ｂを構成する板バネの下方突起部は変形し（撓み）、その下方突起部は係合部８を通過する。これにより、被係合部３ｂを構成する板バネの下方突起部は、係合部８の前方へ移動する。
【００６５】
この後、ユーザーがさらにスライドカウンター１０を前方に引き出すと、第１所定位置において被係合部３ａが係合部８と係合してスライドカウンター１０のスライドが再度停止する。
【００６６】
ここからユーザーがスライドカウンター１０を前方にさらに引き出すことにより、被係合部３ａを構成する板バネの下方突起部は変形し（撓み）、その下方突起部は係合部８を通過する。これにより、スライドカウンター１０は、突き出し位置へ移行する。またこの突き出し位置において、スライドカウンター１０は、被係合部３ａと係合部８とによりロックされた状態となる。
【００６７】
なお、上記以外の本実施の形態の構成は、図２に示す実施の形態の構成とほぼ同じであるため、同一の要素については同一の符号を付し、その説明を繰り返さない。
【００６８】
次に、上記一および他の実施の形態の作用効果について説明する。
上記一および他の実施の形態によれば、図２および図８に示されるように、プッシュオープン機構部６が設けられている。これによりスライドカウンター１０を押し込む操作のみで、スライドカウンター１０を突き出し位置に向けて飛び出させることができる。このためユーザーが両手に食器を持った状態においても、スライドカウンター１０のスライド操作を容易に行うことが可能となる。
【００６９】
またスライドカウンター１０が突き出し位置に向けて飛び出すことにより、ユーザーはそのスライドカウンター１０上に、食器を一旦置くことができる。これにより、ユーザーは両手を使うことが可能となり、上段収納部１２の扉１２Ｄを開くことができる。そして、その後にスライドカウンター１０上の食器を上段収納部１２へ収納することができる。
【００７０】
また上記一および他の実施の形態によれば、スライドカウンター１０は、収納位置から突き出し位置に移動する際に、突き出し位置と収納位置との間の第１所定位置で係合部８と係合する被係合部３ａを有する。この被係合部３ａと係合部８との係合により、スライドカウンター１０のスライドを途中位置で停止させることが可能となる。これにより被係合部材３ａの板バネがクッションとして機能するため、スライドカウンター１０がプッシュオープン機構部６による強い衝撃を加えられたまま突出し位置まで達することはない。
【００７１】
また第１所定位置からさらにスライドカウンター１０を前方に引き出すことにより、被係合部３ａの下方突起部が係合部８を乗り越えて通過し、スライドカウンター１０は突き出し位置にてロックされる。これにより、被係合部３ａが係合部８を乗り越えることができる程度の力が被係合部３ａを変形させる力として加わらない限り、スライドカウンター１０が突き出し位置にて前後に動くことが抑制される。
【００７２】
このため他の作業をしている時に不意にユーザの体がスライドカウンター１０に当たっても、スライドカウンター１０が突き出し位置から収納位置へスライドすることが抑制される。よって、スライドカウンター１０上の食器などがキャビネットなどに当って破損したり、スライドカウンター１０上から落下することが抑制される。
【００７３】
また上記他の実施の形態によれば、スライドカウンター１０は、係合部８と係合することにより収納位置から突き出し位置まで段階的に移動可能に構成されている。これにより食器などの大きさに応じて、スライドカウンター１０の突き出し寸法を適切に設定することが容易となる。
【００７４】
また上記他の実施の形態によれば、スライドカウンター１０は、収納位置と第１所定位置との間の第２所定位置で係合部８と係合する被係合部３ｂを有する。これにより被係合部３ｂと係合部８との係合により、スライドカウンター１０のスライドを第２所定位置で停止させることが可能となる。
【００７５】
また上記一および他の実施の形態によれば、扉部１２Ｌ、１２Ｒは開いた状態と閉じた状態との間で回動する回動式の扉である。突き出し位置におけるスライドカウンター１０の突き出し寸法ＬＡが、開いた状態における扉部１２Ｌ、１２Ｒの突き出し寸法ＬＢよりも大きい。これにより、回動式の扉部１２Ｌ、１２Ｒが開いた状態においても、スライドカウンター１０上に食器などを置くことが可能となる。
【００７６】
また上記一および他の実施の形態において、扉１２Ｄが引き違い戸である場合には、扉１２Ｄを開く際に、スライドカウンター１０の本体部１上に載せられた食器に扉１２Ｄが干渉することが抑制される。これにより本体部１上の食器が、上記干渉により破損したり、スライドカウンター１０上から落下することなどが防止される。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７８】
１  本体部、１ａ  上面、２，１２Ｌ，１２Ｒ，１３Ｌ，１３Ｒ  扉部、２Ｅ  前面、３ａ，３ｂ  被係合部、４ａ，４ｂ  固定部材、５  レール、６  プッシュオープン機構部、６ａ  筒部、６ａａ  ストッパ部、６ｂ  押出し部、６ｂａ  フランジ部、６ｃ，６ｄ  突出部、６ｅ  弾性部材、６ｆ  内部空間、８  係合部、９  落下防止材、１０  スライドカウンター、１２  上段収納部、１２Ｄ，１３Ｄ  扉、１２ＦＥ  前端、１３  下段収納部、１４  棚、２０  キャビネット。
【図１】
2018143417.tif 000003
【図２】
2018143417.tif 000004
【図３】
2018143417.tif 000005
【図４】
2018143417.tif 000006
【図５】
2018143417.tif 000007
【図６】
2018143417.tif 000008
【図７】
2018143417.tif 000009
【図８】
2018143417.tif 000010